(57)【要約】リモートカメラ１００は、カメラ本体２００と、カメラ本体２００により保持される保持部材３００と、保持部材３００を挟んでカメラ本体２００により保持される保護部材４００とを有する。そして、カメラ本体２００は、保護部材３００の第１の方向（カメラ本体２００に対する保持部材３００の反時計回り）の回転を規制する保持部材当接部２４０と、保護部材４００の第１の方向（カメラ本体２００に対する保護部材４００の反時計回り）の回転を規制する保護部材当接部２５０と、保持部材３００および保護部材４００の第２の方向（カメラ本体２００に対する保持部材３００の時計回り、およびカメラ本体２００に対する保護部材４００の時計回り）の回転を規制するロックピース２１０と、を備える。
2014010193.tif 000002
【特許請求の範囲】
【請求項１】
第１のユニットと、前記第１のユニットにより保持される第２のユニットと、前記第２のユニットを挟んで前記第１のユニットにより保持される第３のユニットとを有する電子機器であって、
前記第１のユニットは、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備えた、
電子機器。
【請求項２】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項１に記載の電子機器。
【請求項３】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項２に記載の電子機器。
【請求項４】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項２または３に記載の電子機器。
【請求項５】
前記第３の回転規制部は、前記第２のユニット及び前記第３のユニットと当接する第１の位置と当接しない第２の位置との間で移動可能に構成され、
前記第１のユニットは、
前記第３の回転規制部を前記第１の位置に付勢する付勢部材と、
前記第３の回転規制部を、前記付勢部材による付勢に抗して前記第２の位置に移動させるための操作部材と、を備え、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させ、
前記付勢部材による付勢に抗して前記操作部材を操作することにより、前記第３の回転規制部を前記第２の位置に移動させて、前記第３の回転規制部の前記第１の突起部と前記第２のユニットとの当接を解除させる、
請求項３または４に記載の電子機器。
【請求項６】
前記第３の回転規制部は、前記第２のユニット及び前記第３のユニットと当接する第１の位置と当接しない第２の位置との間で移動可能に構成され、
前記第１のユニットは、前記第３の回転規制部を前記第１の位置に付勢する付勢部材を備え、
前記第２のユニットを前記付勢部材による付勢に抗して前記第１のユニットに対して前記第２の方向に回転させることにより、前記第３の回転規制部を前記第２の位置に移動させて、前記第３の回転規制部の前記第１の突起部と前記第２のユニットとの当接を解除させ、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させる、
請求項３または４に記載の電子機器。
【請求項７】
第２のユニットを保持するとともに前記第２のユニットを挟んで第３のユニットを保持する電子機器であって、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備えた、
電子機器。
【請求項８】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項７に記載の電子機器。
【請求項９】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項８に記載の電子機器。
【請求項１０】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項８または９に記載の電子機器。
【発明の詳細な説明】
【技術分野】
【０００１】
本開示は、保持部材を有する電子機器に関する。
【背景技術】
【０００２】
カメラユニット等の電子機器を保持部材を介して台座に取り付けたり、天井から吊り下げたりする場合がある。このとき、電子機器の保持部材への取り付けが容易であることが望まれる。【０００３】
保持部材に取り付けられる電子機器として、例えば、特許文献１に開示のものがある。
【先行技術文献】
【特許文献】
【０００４】
【特許文献１】特開２００３−３１９４８０号公報
【発明の概要】
【発明が解決しようとする課題】
【０００５】
本開示は、取り付けが容易な電子機器を提供する。
【課題を解決するための手段】
【０００６】
上記課題を解決するために、本開示にかかる電子機器は、第１のユニットと、第１のユニットにより保持される第２のユニットと、第２のユニットを挟んで第１のユニットにより保持される第３のユニットとを有する電子機器であって、第１のユニットは、第２のユニットの第１の方向の回転を規制する第１の回転規制部と、第３のユニットの第１の方向の回転を規制する第２の回転規制部と、第２のユニットおよび第３のユニットの第１の方向とは逆の第２の方向の回転を規制する第３の回転規制部とを備える。
【発明の効果】
【０００７】
本開示によれば、取り付けが容易な電子機器を提供できる。
【図面の簡単な説明】
【０００８】
【図１】リモートカメラの全体構成を説明する図
【図２】カメラ本体の構成を説明する図
【図３】カメラ本体の背面側の構成を説明する図
【図４】保持部材の構成を説明する図
【図５】保護部材の構成を説明する図
【図６】リモートカメラの係合動作の概要図
【図７】カメラ本体と保持部材との係合動作の状態遷移図
【図８】ロックピースによる保持部材の係合動作の状態遷移図
【図９】カメラ本体と保持部材との係合を解除する動作の状態遷移図
【図１０】保持部材をカメラ本体から取り外す状態を示す図
【図１１】カメラ本体と保護部材との係合動作の状態遷移図
【図１２】ロックピースによる保護部材の係合動作の状態遷移図
【図１３】カメラ本体と保護部材との係合を解除する動作の状態遷移図
【図１４】保護部材をカメラ本体に対し時計周りに回転させる状態を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
１．構成
１−１．リモートカメラの構成の概要
図１を用いて、リモートカメラ１００の全体構成を説明する。図１は、リモートカメラの全体図である。リモートカメラ１００は、カメラ本体２００と、保持部材３００と、保護部材４００とを有する。カメラ本体２００は、撮像、録音および記録を行なうユニットである。保持部材３００は、リング部３１０と、雲台３２０と、台座３５０とを有する。リング部３１０は、カメラ本体２００を直接保持する。雲台３２０は、リング部３１０を支持する。台座３５０は、雲台３２０を支持する。保持部材３００は、カメラ本体２００を保持し、これを壁面などに取付けるユニットである。保護部材４００は、カメラ本体２００の後部に設けられた、ケーブル等の接続端子の周辺を覆う。これにより、保護部材４００は接続端子を保護する。
【００１１】
以下の説明において、リモートカメラ１００のレンズが存在する端部側を正面（前方）とする。そして、リモートカメラ１００の正面から見て時計回り・反時計回りの方向を、時計周り・反時計回りの方向と定義する。また、リモートカメラ１００の台座３５０を水平面上に載置したときに、リモートカメラ１００の鉛直上方を上方、鉛直下方を下方と定義する。
【００１２】
１−２．カメラ本体の構成
図２を用いて、カメラ本体２００の構成を説明する。図２（ａ）は、カメラ本体２００の全体図である。カメラ本体２００は、レンズと、駆動部と、撮像センサと、画像処理部と、接続端子とを備える。駆動部は、レンズを駆動する。撮像センサは、レンズを介して形成された被写体像を撮像する。画像処理部は、撮像センサからの出力に所定の処理を施す。接続端子は、画像処理部により処理された結果を出力する。
【００１３】
図２（ｂ）は、カメラ本体２００を後方斜め上方から見た斜視図である。図２（ｃ）は、カメラ本体２００を後方斜め下方から見た斜視図である。図２（ｄ）は、図２（ｂ）の一部拡大図である。図２（ｂ）に示すように、カメラ本体２００は、図２（ｂ）、図２（ｃ）に示すように、レンズが存在する前方側端部とは反対の後方側端部に、接続端子等２７０を有する。カメラ本体２００は、後方側端部の周辺に、カメラ本体２００を保持するための保持機構を有する。カメラ本体２００は、保持機構として、第１の保持機構２６０ａ、第２の保持機構２６０ｂ、第３の保持機構２６０ｃを有する。
【００１４】
第１の保持機構２６０ａは、カメラ本体２００に対する保持部材３００の前後方向の移動および、時計回り・反時計回りの回転を規制するように、カメラ本体２００を保持部材３００に保持させる。図２（ｄ）に示すように、第１の保持機構２６０ａは、ロックピース２１０とリブ２２０ａとを有する。ロックピース２１０は、カメラ本体２００に対する保持部材３００の時計回りの回転方向の回転の規制（位置規制）を行なう。また、ロックピース２１０は、カメラ本体２００に対する保護部材４００の時計回りの回転方向の回転の規制を行なう。ロックピース２１０による回転規制の詳細は後述する。リブ２２０ａは、カメラ本体２００に対する保持部材３００の反時計回りの回転方向の回転の規制を行なう。また、リブ２２０ａは、カメラ本体２００に連結される保護部材４００の反時計回りの回転方向の回転の規制を行なう。すなわち、リブ２２０ａは、ロックピース２１０とは回転方向が逆方向において回転の規制を行なう。更に、リブ２２０ａは、カメラ本体２００に連結される保持部材３００の前後方向の移動の規制を行なうともに、カメラ本体２００に連結される保護部材４００の前後方向の移動の規制を行なう。
【００１５】
ロックピース２１０による回転規制の詳細について説明する。ロックピース２１０は、第１の突起２１０ａ、第２の突起２１０ｂおよびロックレバー２１０ｃを有する。第１の突起２１０ａは、保持部材３００の後述する第１の突起当接部３３０（図４（ｃ）参照）に当接し、カメラ本体２００に対する保持部材３００の時計回りの回転方向の回転の規制を行なう。第１の突起２１０ａにおける、第１の突起当接部３３０と当接する面を第１当接面２１０ｄ（図９（ａ）参照）という。第２の突起２１０ｂは、保護部材４００の後述する第２の突起当接部４２０ａ（図１３（ａ）、図１３（ｂ）参照）と当接し、カメラ本体２００に対する保護部材４００の時計回りの回転方向の回転の規制を行なう。なお、第２の突起２１０ｂにおける保護部材４００に当接する面を第２当接面２１０ｅ（図１３（ａ）参照）という。
【００１６】
ロックピース２１０は、第１の位置と第２の位置との間で移動可能である。第１の位置は、ロックピース２１０の第１の突起２１０ａと保持部材３００とが係合し、第２の突起２１０ｂと保護部材４００とが係合する位置である。第２の位置は、ロックピース２１０の第１の突起２１０ａと、保持部材３００との係合が解除される位置である。なお、このとき、ロックピース２１０の第２の突起２１０ｂと保護部材４００との係合も解除されている。つまり、第１の位置は、ロックピース２１０が、第２の位置よりもより多く突出する位置である。カメラ本体２００は、ロックピース２１０をカメラ本体２００の外周側に突出させるように付勢するバネ２３０を有する（図３（ａ）参照）。ロックピース２１０は、バネ２３０の付勢方向と逆の方向から荷重がかかると下方の第２の位置に向かって移動し、荷重を解除すると上方の第１の位置に向かって移動する。ロックピース２１０に荷重を掛けてロックピース２１０を図２（ａ）、図２（ｂ）の場合において第２の位置に向けて移動させることにより、保持部材３００および保護部材４００との時計回りの回転方向の回転の規制を解除することが可能である。
【００１７】
ロックピース２１０の位置を第１の位置と第２の位置との間で切り替えることにより、カメラ本体２００に対して保持部材３００および保護部材４００を保持した状態と、カメラ本体２００から保持部材３００および保護部材４００とを取り外した状態とを切り替えることができる。
【００１８】
ここで、第２の突起２１０ｂにおける保護部材４００に当接する第２当接面２１０ｅのアングルは、第１の突起２１０ａにおける保持部材３００に当接する第１当接面２１０ｄのアングルよりも緩やかに形成されている。具体的に、第２当接面２１０ｅがロックピース２１０の移動方向に対してなす角度は、第１当接面２１０ｄがロックピース２１０の移動方向に対してなす角度よりも大きく形成されている。これにより、規制している方向に対して逆方向に一定以上の回転荷重をかけたときに、保護部材４００の方が保持部材３００よりも容易に回転の規制を解除させることができる。換言すれば、保護部材４００とカメラ本体２００との係合解除を、保持部材３００とカメラ本体２００との係合解除よりも容易に行うことができる。なお、本実施形態においては、保持部材３００とカメラ本体２００との係合解除に関しては、ロックピース２１０を操作することでも可能としている。回転荷重をかけることなく、容易に取り外し可能とさせるためである。
【００１９】
更に、第２の突起２１０ｂは、第２の突起２１０ｂが保護部材４００に当接したときの係り量が、第１の突起２１０ａが保持部材３００に当接したときの係り量よりも小さくなるように、形成されている。これにより、後述するように、保護部材４００とカメラ本体２００との係合が解除されても、保持部材３００とカメラ本体２００との係合は解除されないようにすることができる。
【００２０】
ここで、規制している方向に対して逆方向に一定以上の力で回転荷重をかけることで容易に回転の規制を解除することができる構成を採用した理由について説明する。リモートカメラ１００において、カメラ本体２００と保持部材３００と保護部材４００とが係合した状態のとき、ロックピース２１０は、保護部材４００により覆われている。そのため、使用者は外側からロックピース２１０を操作することができない。したがって、ロックピース２１０を操作することなく、保護部材４００をカメラ本体２００から取り外すことができる必要がある。これに対処するため、上述のように、第２当接面２１０ｅがロックピース２１０の移動方向に対してなす角度は、第１当接面２１０ｄがロックピース２１０の移動方向に対してなす角度よりも大きく形成されている。これにより、保持部材３００または保護部材４００を反時計回り方向に回転させる場合に、保護部材４００を回転させるときの方が、小さな回転力でロックピース２１０を第２の位置方向に移動させることができる。したがって、保護部材４００の方が、保持部材３００よりも容易に回転させて取り外すことが可能になる。例えば、第２当接面２１０ｅがロックピース２１０の移動方向に対してなす角度は、一般的なユーザが、ロックピース２１０を操作することなく保護部材４００をカメラ本体２００から取り外すことが可能となる角度に設定される。
【００２１】
また、カメラ本体２００のロックピース２１０は、第２の突起２１０ｂの保護部材４００への係り量が、第１の突起２１０ａの保持部材３００への係り量よりも、小さくなるように形成されている。これにより、保護部材４００を回転させてカメラ本体２００から取り外す際、第２の突起２１０ｂと第２の突起当接部４２０ａとの係合状態が解除されても、第１の突起２１０ａと第１の突起当接部３３０との係合状態まで解除されないようにできる。
【００２２】
第２の保持機構２６０ｂおよび第３の保持機構２６０ｃは、カメラ本体２００に対する保持部材３００の前後方向の移動および反時計回り方向の回転を規制するように、カメラ本体２００を保持部材３００に保持する。同時に、第２の保持機構２６０ｂおよび第３の保持機構２６０ｃは、カメラ本体２００に対する保護部材４００の前後方向の移動および反時計回り方向の回転を規制するように、カメラ本体２００を保持部材３００に保持する。図２（ｂ）に示すように、第２の保持機構２６０ｂは、リブ２２０ｂを有する。第３の保持機構２６０ｃは、リブ２２０ｃを有する。
【００２３】
図３は、カメラ本体２００を背面側からみた図である。図３（ａ）は、カメラ本体２００の背面図である。図３（ａ）に示すように、第１の保持機構２６０ａ、第２の保持機構２６０ｂ、第３の保持機構２６０ｃは、カメラ本体２００の後方側端部の周辺部にある。第１の保持機構２６０ａ、第２の保持機構２６０ｂ、第３の保持機構２６０ｃは、カメラ本体２００の外周部に周方向において可能な限り分散して配置することが望ましい。これにより、回転動作や前後移動の規制のときに発生する荷重を、カメラ本体２００の外周部上で周方向に分散させることができる。カメラ本体２００の背面（後端部）には、ロックピース２１０のロック解除の操作をするためのロックレバー２１０ｃが備えられている。ロックレバー２１０ｃは、ロックピース２１０と一体成型されている。ロックピース２１０は、バネ２３０により外周側に突出するように付勢されている。使用者は、ロックレバー２１０ｃを、付勢方向とは逆方向に移動させるよう操作することにより、ロックピース２１０によるロック状態の解除を行なうことができる。
【００２４】
図３（ｂ）および図３（ｃ）は、カメラ本体２００の背面側の斜視図である。具体的に、図３（ｂ）および図３（ｃ）は、リブ２２０ａの詳細を説明するための図である。図３（ｂ）に示すように、リブ２２０ａは、保持部材当接部２４０および保護部材当接部２５０を有する。保持部材当接部２４０は、保持部材３００に対するカメラ本体２００の時計回りの回転方向の回転の規制及び前後方向の移動の規制を行なう。保護部材当接部２５０は、保護部材４００に対するカメラ本体２００の時計回りの回転方向の回転の規制及び前後方向の移動の規制を行なう。
【００２５】
図３（ｃ）に示すように、保持部材当接部２４０は、第１の保持部材当接部２４０ａ、第２の保持部材当接部２４０ｂ、第３の保持部材当接部２４０ｃを有する。第１の保持部材当接部２４０ａは、保持部材３００の第１のカメラ本体当接部３２０ａ（図４（ｃ）参照）と当接し、カメラ本体２００に対する保持部材３００の前方への移動の規制を行なう。第２の保持部材当接部２４０ｂは、保持部材３００の第２のカメラ本体当接部３２０ｂ（図４（ｃ）参照）と当接し、カメラ本体２００に対する保持部材３００の後方への移動の規制を行なう。第３の保持部材当接部２４０ｃは、保持部材３００の第３のカメラ本体当接部３２０ｃ（図４（ｃ）参照）と当接し、カメラ本体２００に対する保持部材３００の反時計回りの回転方向への回転の規制を行なう。
【００２６】
保護部材当接部２５０は、第１の保護部材当接部２５０ａ、第２の保護部材当接部２５０ｂ、第３の保護部材当接部２５０ｃを有する。第１の保護部材当接部２５０ａは、カメラ本体２００に対する保護部材４００の前方への移動の規制を行なう。第２の保護部材当接部２５０ｂは、カメラ本体２００に対する保護部材４００の後方への移動の規制を行なう。第３の保護部材当接部２５０ｃは、カメラ本体２００に対する保護部材４００の反時計回りの回転方向への回転の規制を行なう。
【００２７】
尚、リブ２２０ｂおよびリブ２２０ｃの構成は、リブ２２０ａの構成と同様であるので説明を省略する。
【００２８】
１−３．保持ユニットの構成
図４を用いて、保持部材３００の構成を説明する。図４は、保持部材３００の構成を説明する図である。図４（ａ）は、保持部材３００を後方から見た斜視図である。図４（ａ）において、保持部材３００の端面３４０ａ側が前方、端面３４０ｂ側が後方である。保持部材３００は、リング部３１０の内周面に、リブ３１０ａ、リブ３１０ｂ、リブ３１０ｃ、リブ３１０ｄを有する。リブ３１０ａ、リブ３１０ｂ、リブ３１０ｃ、リブ３１０ｄは、保持部材３００がカメラ本体２００に取付けられたときに、保持部材３００に対するカメラ本体２００の回転及び移動の規制（位置規制）を行なう部位である。リブ３１０ａ、リブ３１０ｂ、リブ３１０ｃ、リブ３１０ｄは、同一の構造を有する。図４（ｂ）は、保持部材３００の正面図である。上記の各リブは、図４（ｂ）に示すように、保持部材３００においてカメラ本体２００が取付けられる箇所の内側に９０度間隔で配置される。カメラ本体２００は、端面３４０ａ側から挿入されて、保持部材３００を保持する。上記各リブは、リング部３１０の内周面において、端面３４０ｂに近接した位置に配置される。これにより、カメラ本体２００の背面部が保持部材３００の端面３４０ｂに近い位置に配置される。そのため、カメラ本体２００の背面部に備えられたロックレバー２１０ｃの操作がしやすくなる。
【００２９】
図４（ｃ）を用いてリブ３１０ａの構成を説明する。図４（ｃ）は、保持部材３００の上部を前方から見た斜視図である。リブ３１０ａは、第１のカメラ本体当接部３２０ａ、第２のカメラ本体当接部３２０ｂ、第３のカメラ本体当接部３２０ｃ、第１の突起当接部３３０を有する。第１のカメラ本体当接部３２０ａは、カメラ本体２００の第１の保持部材当接部２４０ａ（図３（ｃ）参照）と当接し、カメラ本体２００に対する保持部材３００の前方への移動の規制を行なう。第２のカメラ本体当接部３２０ｂは、カメラ本体２００の第２の保持部材当接部２４０ｂ（図３（ｃ）参照）と当接し、カメラ本体２００に対する保持部材３００の後方への移動の規制を行なう。第３のカメラ本体当接部３２０ｃは、カメラ本体２００の第３の保持部材当接部２４０ｃ（図３（ｃ）参照）と当接し、カメラ本体２００に対する保持部材３００の反時計回りの回転方向への回転の規制を行なう。
【００３０】
第１の突起当接部３３０は、カメラ本体２００に対する保持部材３００の時計回りの回転方向への回転の規制を行なう。
【００３１】
１−４．保護部材の構成
図５を用いて、保護部材４００の構成を説明する。図５は、保護部材４００の構成を説明する図である。具体的に、図５（ａ）は、保護部材４００を前方から見た斜視図である。図５（ａ）に示すように、保護部材４００は、内周面の前部に、リブ４１０ａ、リブ４１０ｂ、リブ４１０ｃ、ロックピース当接部４２０を有する。リブ４１０ａ、リブ４１０ｂ、リブ４１０ｃは、保護部材４００がカメラ本体２００に取付けられたときに、カメラ本体２００に対する保護部材４００の前後方向への移動の規制および反時計回りの回転方向への回転の規制を行なう部分である。図５（ｂ）は、保護部材４００の正面図である。上記の各リブ４１０ａ、リブ４１０ｂ、リブ４１０ｃは、保護部材４００において、カメラ本体２００のリブ２２０ａ、２２０ｂ、２２０ｃの配置位置に対応する位置に（図３（ａ）参照）、図５（ｂ）に示すように配置される。ロックピース当接部４２０は、保護部材４００がカメラ本体２００に取付けられたときに、カメラ本体２００に対する保護部材４００の時計回りの回転方向への回転の規制を行なう部分である。ロックピース当接部４２０は、保護部材４００において、カメラ本体２００のロックピース２１０の第２の突起２１０ｂの配置位置に対応する位置に配置される。
【００３２】
図５（ａ）を用いてリブ４１０ａの構成を説明する。リブ４１０ａは、第１のカメラ本体当接部４１０ａａ、第２のカメラ本体当接部４１０ａｂ、第３のカメラ本体当接部４１０ａｃを有する。第１のカメラ本体当接部４１０ａａは、カメラ本体２００の第１の保護部材当接部２５０ａ（図３（ｃ）参照）と当接し、カメラ本体２００に対する保護部材４００の前方への移動の規制を行なう。第２のカメラ本体当接部４１０ａｂは、カメラ本体２００の第２の保護部材当接部２５０ｂ（図３（ｃ）参照）と当接し、カメラ本体２００に対する保護部材４００の後方への移動の規制を行なう。第３のカメラ本体当接部４１０ａｃは、カメラ本体２００の第３の保護部材当接部２５０ｃ（図３（ｃ）参照）と当接し、カメラ本体２００に対する保護部材４００の反時計回りの回転方向への回転の規制を行なう。
【００３３】
第２の突起当接部４２０ａは、ロックピース２１０の第２の突起２１０ｂ（図２（ｄ）参照）と当接し、カメラ本体２００に対する保護部材４００の時計回りの回転方向への回転の規制を行なう。
【００３４】
２．動作
２−１．リモートカメラの係合動作の概要
図６を用いて、カメラ本体２００と、保持部材３００及び保護部材４００との係合動作の概要を説明する。図６は、リモートカメラ１００の係合動作の概要を説明する図である。まず図６（ａ）に示すようにカメラ本体２００に対して保持部材３００を係合させる。次に図６（ｂ）に示すようにカメラ本体２００に保持部材３００が係合された状態で、保護部材４００を係合させる。これにより、図６（ｃ）に示すように、カメラ本体２００と、保持部材３００及び保護部材４００とが一体的に保持されたリモートカメラ１００が完成する。
【００３５】
係合を解除する際には、まず保護部材４００とカメラ本体２００との係合を解除して保護部材４００をカメラ本体２００より取り外す。次に保持部材３００とカメラ本体２００との係合を解除して、保持部材３００をカメラ本体２００より取り外す。このように、リモートカメラ１００を、カメラ本体２００、保持部材３００、保護部材４００の各部材に切り離すことができる。
【００３６】
２−２．カメラ本体と保持部材との係合動作
図７を用いて、カメラ本体２００と保持部材３００との係合動作を説明する。図７は、カメラ本体２００と保持部材３００との係合動作の状態遷移を示す図である。図７（ａ）は、カメラ本体２００の背面図である。図７（ｂ）は、カメラ本体２００と保持部材３００とを分離した状態で背面側から見た斜視図である。図７（ｃ）は、カメラ本体２００と保持部材３００とを結合した状態で背面側から見た斜視図である。まず、図７（ｂ）に示す保持部材３００のリブ３１０ａ、リブ３１０ｂ、リブ３１０ｃ、リブ３１０ｄの周方向の位置と図７（ａ）に示すカメラ本体２００における空間２８０ａ、空間２８０ｂ、空間２８０ｃの周方向の位置とが一致するように、カメラ本体２００と保持部材３００とを配置する。次に、図７（ｂ）に示すように、カメラ本体２００と保持部材３００とを、保持部材３００の端面３４０ａとカメラ本体２００の端面２７０とが当接するように組みつける。次に、図７（ｃ）に示すように、保持部材３００をカメラ本体２００に対して反時計回りに回転させ、あるいはカメラ本体２００を保持部材３００に対して時計回りに回転させ、第３の保持部材当接部２４０ｃ（図３（ｃ）参照）に第３のカメラ本体当接部３２０ｃ（図４（ｃ）参照）を当接させる。
【００３７】
図８を用いて、カメラ本体２００と保持部材３００の係合動作を説明する。図８は、カメラ本体２００のロックピース２１０による保持部材３００の係合動作の状態遷移図である。図８（ａ）は、ロックピース２１０と保持部材３００とが係合する前の状態を示す図である。図８（ｂ）は、ロックピース２１０と保持部材３００とが係合する途中の状態を示す図である。図８（ｃ）は、ロックピース２１０と保持部材３００とが係合した状態を示す図である。図８（ｄ）は、図８（ｂ）の部分拡大図である。図８（ｅ）は、図８（ｄ）の状態よりもより係合が進んだ状態での係合途中の状態を示す部分拡大図である。図８（ｂ）に示すロックピース２１０と保持部材３００とが係合する途中の状態においては、図８（ｄ）および図８（ｅ）に示すように、ロックピース２１０の斜面２１０ｆと第３のカメラ本体当接部３２０ｃとが当接する。このとき、ロックピース２１０の斜面２１０ｆに第３のカメラ本体当接部３２０ｃから反時計回りの回転方向の荷重Ｆ１がかかる。この回転方向の荷重Ｆ１は、バネ２３０（図３（ａ）参照）の付勢方向とは逆方向の荷重Ｆ２に変換される。このため、ロックピース２１０は、第１の突起当接部３３０が第１の突起２１０ａを通過するまでは反突出方向に下がった状態となる。第１の突起当接部３３０が第１の突起２１０ａを通過した後は、ロックピース２１０は第１の位置（突出位置）に戻る。そのため、図８（ｃ）に示すように、第１の突起当接部３３０に対し第１の突起２１０ａが当接した状態となる。この状態においては、カメラ本体２００のリブ２２０ａ、リブ２２０ｂ、リブ２２０ｃのすべてが保持部材３００のリブ３１０ａ、リブ３１０ｂ、リブ３１０ｃ、リブ３１０ｄのいずれかに係合している。したがって、カメラ本体２００に対し保持部材３００は前後方向および時計回り、反時計回りの回転方向における回転の規制がされた状態となる。
【００３８】
ここで、ロックピース２１０の斜面２１０ｆの角度は、反時計回りの荷重Ｆ１の方向に対して緩やかな角度をなすように設定されている。具体的に、斜面２１０ｆと荷重Ｆ１とがなす角度が、所定の角度以下となるように設定されている。ここで、斜面２１０ｆと荷重Ｆ１とがなす角度が大きいほど、カメラ本体２００に保持部材３００を取り付けるために、保持部材３００を回転させて保持部材３００とロックピース２１０とを係合させる際、大きな回転力を要する。そこで、所定の角度は、一般的なユーザが保持部材３００を取り付ける際に、保持部材３００を、ロックピース２１０のバネ２３０の付勢力に抗して回転可能な角度に設定している。
【００３９】
図９を用いて、カメラ本体２００と保持部材３００との係合を解除する動作を説明する。図９は、カメラ本体２００と保持部材３００との係合を解除する動作の状態遷移図である。図９（ａ）は、ロックピース２１０と保持部材３００とが係合した状態を示す図である。図９（ｂ）は、ロックピース２１０と保持部材３００との係合が解除される途中の状態を示す図である。図９（ｃ）は、ロックピース２１０と保持部材３００との係合が解除された状態を示す図である。なお、ロックピース２１０は、第２の位置に位置する。
【００４０】
まず、図９（ａ）及び図９（ｂ）に示すように、ロックレバー２１０ｃをバネ２３０（図３（ａ）参照）の付勢方向とは反対方向に押し下げる。このことにより、図９（ｂ）に示すように、ロックピース２１０がバネ２３０の付勢方向とは反対方向に移動し、第１の突起当接部３３０に当接しない状態となる。このため、カメラ本体２００に対する保持部材３００の時計回りへの回転の規制がされていない状態となり当該方向への回転が可能となる。
【００４１】
次に、図９（ｃ）に示すように、保持部材３００をカメラ本体２００に対し時計周りに回転させる。図９（ｃ）は、保持部材３００をカメラ本体２００に対し時計周りに回転させる状態を示す図である。この際、図４（ｂ）に示すリブ３１０ａ、リブ３１０ｂ、リブ３１０ｃ、リブ３１０ｄの周方向の位置と、図７（ａ）に示す空間２８０ａ、空間２８０ｂ、空間２８０ｃの周方向の位置とが一致するように、カメラ本体２００と保持部材３００とを相対的に回転させる。このように両者の位置が一致した状態においては、図に示すリブ３１０ａ、リブ３１０ｂ、リブ３１０ｃ、リブ３１０ｄのすべてがリブ２２０ａ，リブ２２０ｂ、リブ２２０ｃのいずれにも係合していない。このため、保持部材３００をカメラ本体２００に対し後方へ移動させることが可能となる。この状態において、図１０に示すように保持部材３００をカメラ本体２００に対し後方へ移動させることで、カメラ本体２００と保持部材３００との係合状態が解除される。つまり、保持部材３００をカメラ本体２００から取り外すことができる。
【００４２】
２−３．カメラ本体と保護部材との係合動作
図１１を用いて、カメラ本体２００と保護部材４００との係合動作を説明する。図１１は、カメラ本体２００と保護部材４００との係合動作の状態遷移を示す図である。図１１（ａ）は、カメラ本体２００及び保持部材３００の背面図である。図１１（ｂ）は、カメラ本体２００及び保持部材３００と保護部材４００とを分離した状態で背面側から見た斜視図である。図１１（ｃ）は、カメラ本体２００、保持部材３００、及び保護部材４００を結合した状態で背面側から見た斜視図である。まず、前述の図５（ａ）及び図５（ｂ）に示す保護部材４００のリブ４１０ａ、リブ４１０ｂ、リブ４１０ｃ、ロックピース当接部４２０の周方向の位置と、図１１（ａ）に示すカメラ本体２００における空間２８０ａ、空間２８０ｂ、空間２８０ｃ、空間２８０ｄの周方向の位置とが一致するように、カメラ本体２００と保護部材４００とを配置する。次に、図１１（ｂ）に示すように、保護部材４００と保持部材３００とを、保護部材４００の端面４３０と保持部材３００の端面３４０ｂとが当接するように組みつける。次に、図１１（ｃ）に示すように、保護部材４００をカメラ本体２００に対して反時計回りに回転させ、あるいはカメラ本体２００を保護部材４００に対して時計回りに回転させる。これにより、第３の保護部材当接部２５０ｃ（図３（ｃ）参照）に第３のカメラ本体当接部４１０ａｃ（図５（ａ）参照）が当接する。
【００４３】
図１２を用いて、カメラ本体２００のロックピース２１０による保護部材４００の係合動作を説明する。図１２は、ロックピース２１０による保護部材４００の係合動作の状態遷移図である。図１２（ａ）は、ロックピース２１０と保護部材４００とが係合した状態を示す図である。図１２（ｂ）は、ロックピース２１０と保護部材４００との係合が解除される途中の状態を示す図である。図１２（ｃ）は、ロックピース２１０と保護部材４００との係合が解除された状態を示す図である。図１２（ｄ）は、図１２（ｂ）の部分拡大図である。図１２（ｅ）は、図１２（ｄ）の状態よりもより係合の解除が進んだ途中の状態を示す部分拡大図である。図１２（ｂ）に示すロックピース２１０と保護部材４００との係合が解除される途中の状態においては、図１２（ｄ）および図１２（ｅ）に示すように、ロックピース２１０の斜面２１０ｆと斜面部４２０ｂとが当接する。このとき、ロックピース２１０の斜面２１０ｆにロックピース当接部４２０の斜面部４２０ｂから反時計回りの回転方向の荷重Ｆ３がかかる。この回転方向の荷重Ｆ３はバネ２３０（図３（ａ）参照）の付勢方向とは逆方向の荷重Ｆ４に変換される。このためロックピース２１０は、第２の突起当接部４２０ａが第２の突起２１０ｂを通過するまでは反突出方向に下がった状態となる。第２の突起当接部４２０ａが第２の突起２１０ｂを通過した後は、図１２（ｃ）に示すように、ロックピース２１０は第１の位置（突出位置）に戻る。そのため、第２の突起当接部４２０ａに対し第２の突起２１０ｂが当接した状態となる。この状態においては、保護部材４００のリブ４１０ａ、リブ４１０ｂ、リブ４１０ｃのすべてが、保持部材３００においてそれぞれ対応するリブ３１０ａ、リブ３１０ｂ、リブ３１０ｃ、リブ３１０ｄに係合する。したがって、カメラ本体２００に対し保護部材４００は前後方向および時計回り、反時計回りの回転方向における回転の規制がされた状態となる。
【００４４】
ここで、ロックピース２１０の斜面２１０ｆの角度は、反時計回りの荷重Ｆ３の方向に対して緩やかな角度をなすように設定されている。具体的に、斜面２１０ｆと荷重Ｆ３とがなす角度が、所定の角度以下となるように設定されている。ここで、斜面２１０ｆと荷重Ｆ３とがなす角度が大きいほど、カメラ本体２００に保護部材４００を取り付けるために、保護部材４００を回転させて保護部材４００とロックピース２１０とを係合させる際、大きな回転力を要する。そこで、所定の角度は、一般的なユーザが保護部材４００を取り付ける際に、保持部材４００を、ロックピース２１０のバネ２３０の付勢力に抗して回転可能な角度に設定している。
【００４５】
図１３を用いて、カメラ本体２００と保護部材４００との係合を解除する動作を説明する。図１３は、カメラ本体２００と保護部材４００との係合を解除する動作の状態遷移図である。図１３（ａ）は、ロックピース２１０と保護部材４００とが係合した状態を示す図である。図１３（ｂ）は、ロックピース２１０と保護部材４００との係合が解除される途中の状態を示す図である。図１３（ｃ）は、ロックピース２１０と保護部材４００との係合が解除された状態を示す図である。
【００４６】
まず、図１３（ａ）及び図１３（ｂ）に示すように、保護部材４００をカメラ本体２００に対し時計周りに回転させる。このとき、一定以上の荷重Ｆ５を時計回りの回転方向に掛けることにより、当該荷重Ｆ５はバネ２３０（図３（ａ）参照）の付勢方向とは逆方向の荷重Ｆ６に変換され、図１３（ｂ）、図１３（ｃ）に示すように、ロックピース２１０はバネ２３０の付勢方向とは逆方向へ移動する。このため、第２の突起２１０ｂと第２の突起当接部４２０ａとの係合状態は解除される。ここで、第２の突起２１０ｂにおける保護部材４００に当接する第２当接面２１０ｅのアングルは、前述のように、第１の突起２１０ａにおける保持部材３００に当接する第１当接面２１０ｄのアングルよりも緩やかに形成されている。具体的に、第２当接面２１０ｅがロックピース２１０の移動方向に対してなす角度は、第１当接面２１０ｄがロックピース２１０の移動方向に対してなす角度よりも大きく形成されている。
【００４７】
図１４は、保護部材４００をカメラ本体２００に対し時計周りに回転させる状態を示す図である。この際、図５（ａ）、図５（ｂ）に示すリブ４１０ａ、リブ４１０ｂ、リブ４１０ｃ、ロックピース当接部４２０の周方向の位置と、図１１（ａ）に示す空間２８０ａ、空間２８０ｂ、空間２８０ｃ、空間２８０ｄの周方向の位置とが一致するように、カメラ本体２００と保護部材４００とを相対的に回転させる。この状態においてはリブ４１０ａ、リブ４１０ｂ、リブ４１０ｃ（図５（ｂ）参照）のすべてがリブ２２０ａ，リブ２２０ｂ、リブ２２０ｃ（図３（ｄ）参照）のいずれにも係合していない。このため保護部材４００をカメラ本体２００に対し後方へ移動させることが可能となる。このように両者の位置が一致した状態において保護部材４００をカメラ本体２００に対して後方へ移動させることで、カメラ本体２００と保護部材４００との係合状態が解除される。つまり、保護部材４００をカメラ本体２００から取り外すことができる。
【００４８】
３．効果等
以上のように、本開示のリモートカメラ１００は、カメラ本体２００と、カメラ本体２００により保持される保持部材３００と、保持部材３００を挟んでカメラ本体２００により保持される保護部材４００とを有する。そして、カメラ本体２００は、保護部材３００の第１の方向（カメラ本体２００に対する保持部材３００の反時計回り）の回転を規制する保持部材当接部２４０と、保護部材４００の第１の方向（カメラ本体２００に対する保護部材４００の反時計回り）の回転を規制する保護部材当接部２５０と、保持部材３００および保護部材４００の第２の方向（カメラ本体２００に対する保持部材３００の時計回り、およびカメラ本体２００に対する保護部材４００の時計回り）の回転を規制するロックピース２１０と、を備える。この構成により、取り付けおよび取り外しが容易なリモートカメラ１００を提供できる。
【００４９】
また、本構成によれば、１つのロックピース２１０で保持部材３００及び保護部材４００の２つの部材を異なる係合状態とすることができる。異なる係合状態とするための構成としては、他に、保持部材３００及び保護部材４００のそれぞれに対応させて異なるロックピースを設けた構成が考えられる。しかし、この構成では、２つのロックピースと２つのバネ（付勢部材）とが必要となる。本実施形態では、１つのロックピース２１０と１つのバネ２３０で異なる係合状態を実現することができる。これにより、部品点数の削減及びカメラ本体２００の小型化を実現することができる。
【００５０】
また、ロックピース２１０は、保護部材３００の前記第２の方向の回転を規制する第１の突起２１０ａと、保護部材４００の前記第２の方向の回転を規制する第２の突起２１０ｂと、を有する。そして、第２の突起２１０ｂによる保護部材４００の回転規制は、第１の突起２１０ａによる保護部材３００の回転規制よりも弱い。これにより、カメラ本体２００と保持部材３００との保持状態を解消させることなく、カメラ本体２００と保護部材４００との保持状態を解消させることができる。
【００５１】
また、第１の突起２１０ａは、保持部材３００と当接することにより保持部材３００の第２の方向の回転を規制し、第２の突起２１０ｂは、保護部材４００と当接することにより保護部材４００の第２の方向の回転を規制する。第２の突起２１０ｂにおける保護部材４００に当接する面のアングルは、第１の突起２１０ａにおける保持部材３００に当接する面のアングルよりも緩やかである。これにより、ロックピース２１０を操作することなく、保護部材４００をカメラ本体２００から取り外すことができる。
【００５２】
また、第２の突起２１０ｂが保護部材４００に当接したときの係り量は、第１の突起２１０ａが保持部材３００に当接したときの係り量よりも小さい。これにより、ロックピース２１０を操作することなく保護部材４００自体を操作して、保護部材４００をカメラ本体２００から取り外すときに、第２の突起２１０ｂと第２の突起当接部４２０ａとの係合状態が解除されたときに、第１の突起２１０ａと第１の突起当接部３３０との係合状態まで解除されないようにできる。
【００５３】
また、ロックピース２１０は、保持部材３００及び保護部材４００と当接する第１の位置と当接しない第２の位置との間で移動可能に構成される。カメラ本体２００は、ロックピース２１０を第１の位置に付勢するバネ２３０と、ロックピース２１０を、バネ２３０による付勢に抗して第２の位置に移動させるためのロックレバー２１０ｃと、を備える。保護部材４００をバネ２３０による付勢に抗してカメラ本体２００に対して第２の方向に回転させることにより、ロックピース２１０を第２の位置に移動させて、ロックピース２１０の第２の突起２１０ｂと保護部材４００との当接を解除させる。また、バネ２３０による付勢に抗してロックレバー２１０ｃを操作することにより、ロックピース２１０を第２の位置に移動させて、ロックピース２１０の第１の突起２１０ａと保持部材３００との当接を解除させる。
【００５４】
なお、ロックピース２１０の第１の突起２１０ａと保持部材３００との当接の解除は、以下のように構成してもよい。すなわち、保持部材３００をバネ２３０による付勢に抗してカメラ本体２００に対して第２の方向に回転させることにより、ロックピース２１０を第２の位置に移動させて、ロックピース２１０の第１の突起２１０ａと保持部材３００との当接を解除させる。
【００５５】
なお、上記実施の形態では、カメラ本体２００が二段構造を有する爪を備えている場合を説明したが、爪はこれに限定されない。例えば、保護部材３００が二段構造を有する爪を備えていてもよい。但し、通常は、カメラ本体２００を保持部材３００に保持させたままの状態で、保護部材４００を着脱させて、ロックレバー２１０ｃの操作や、コネクタへのケーブルの着脱を行なう。そのため、カメラ本体２００に二段構造を有する爪を備えた方が、使用者にとって、保護部材４００の着脱がしやすくなる。
【００５６】
以上のように、本開示における技術の例示として、実施の形態を説明した。そのために、添付図面および詳細な説明を提供した。
【００５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
また、上述の実施の形態は、本開示における技術を例示するためのものであるから、特許請求の範囲またはその均等の範囲において種々の変更、置き換え、付加、省略などを行うことができる。
【産業上の利用可能性】
【００５９】
本開示はリモートカメラ１００への実施に限定されない。すなわち、照明器具、マイクユニット、スピーカユニット等、保持の用途がある電子機器に本開示は適用可能である。
【図１】
2014010193.tif 000003
【図２】
2014010193.tif 000004
【図３】
2014010193.tif 000005
【図４】
2014010193.tif 000006
【図５】
2014010193.tif 000007
【図６】
2014010193.tif 000008
【図７】
2014010193.tif 000009
【図８】
2014010193.tif 000010
【図９】
2014010193.tif 000011
【図１０】
2014010193.tif 000012
【図１１】
2014010193.tif 000013
【図１２】
2014010193.tif 000014
【図１３】
2014010193.tif 000015
【図１４】
2014010193.tif 000016
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
第１のユニットと、前記第１のユニットにより保持される第２のユニットと、前記第２のユニットを挟んで前記第１のユニットにより保持される第３のユニットとを有する電子機器であって、
前記第１のユニットは、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備えた、
電子機器。
【請求項２】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項１に記載の電子機器。
【請求項３】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項２に記載の電子機器。
【請求項４】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項２または３に記載の電子機器。
【請求項５】
前記第３の回転規制部は、前記第２のユニット及び前記第３のユニットと当接する第１の位置と当接しない第２の位置との間で移動可能に構成され、
前記第１のユニットは、
前記第３の回転規制部を前記第１の位置に付勢する付勢部材と、
前記第３の回転規制部を、前記付勢部材による付勢に抗して前記第２の位置に移動させるための操作部材と、を備え、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させ、
前記付勢部材による付勢に抗して前記操作部材を操作することにより、前記第３の回転規制部を前記第２の位置に移動させて、前記第３の回転規制部の前記第１の突起部と前記第２のユニットとの当接を解除させる、
請求項３または４に記載の電子機器。
【請求項６】
前記第３の回転規制部は、前記第２のユニット及び前記第３のユニットと当接する第１の位置と当接しない第２の位置との間で移動可能に構成され、
前記第１のユニットは、前記第３の回転規制部を前記第１の位置に付勢する付勢部材を備え、
前記第２のユニットを前記付勢部材による付勢に抗して前記第１のユニットに対して前記第２の方向に回転させることにより、前記第３の回転規制部を前記第２の位置に移動させて、前記第３の回転規制部の前記第１の突起部と前記第２のユニットとの当接を解除させ、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させる、
請求項３または４に記載の電子機器。
【請求項７】
第２のユニットを保持するとともに前記第２のユニットを挟んで第３のユニットを保持する電子機器であって、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備えた、
電子機器。
【請求項８】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項７に記載の電子機器。
【請求項９】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項８に記載の電子機器。
【請求項１０】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項８または９に記載の電子機器。
【手続補正２】
【補正対象書類名】明細書
【補正対象項目名】全文
【補正方法】変更
【補正の内容】
【発明の詳細な説明】
【技術分野】
【０００１】
本開示は、保持部材を有する電子機器に関する。
【背景技術】
【０００２】
カメラユニット等の電子機器を保持部材を介して台座に取り付けたり、天井から吊り下げたりする場合がある。このとき、電子機器の保持部材への取り付けが容易であることが望まれる。
【０００３】
保持部材に取り付けられる電子機器として、例えば、特許文献１に開示のものがある。
【先行技術文献】
【特許文献】
【０００４】
【特許文献１】特開２００３−３１９４８０号公報
【発明の概要】
【発明が解決しようとする課題】
【０００５】
本開示は、取り付けが容易な電子機器を提供する。
【課題を解決するための手段】
【０００６】
上記課題を解決するために、本開示にかかる電子機器は、第１のユニットと、第１のユニットにより保持される第２のユニットと、第２のユニットを挟んで第１のユニットにより保持される第３のユニットとを有する電子機器であって、第１のユニットは、第２のユニットの第１の方向の回転を規制する第１の回転規制部と、第３のユニットの第１の方向の回転を規制する第２の回転規制部と、第２のユニットおよび第３のユニットの第１の方向とは逆の第２の方向の回転を規制する第３の回転規制部とを備える。
【発明の効果】
【０００７】
本開示によれば、取り付けが容易な電子機器を提供できる。
【図面の簡単な説明】
【０００８】
【図１】リモートカメラの全体構成を説明する図
【図２】カメラ本体の構成を説明する図
【図３】カメラ本体の背面側の構成を説明する図
【図４】保持部材の構成を説明する図
【図５】保護部材の構成を説明する図
【図６】リモートカメラの係合動作の概要図
【図７】カメラ本体と保持部材との係合動作の状態遷移図
【図８】ロックピースによる保持部材の係合動作の状態遷移図
【図９】カメラ本体と保持部材との係合を解除する動作の状態遷移図
【図１０】保持部材をカメラ本体から取り外す状態を示す図
【図１１】カメラ本体と保護部材との係合動作の状態遷移図
【図１２】ロックピースによる保護部材の係合動作の状態遷移図
【図１３】カメラ本体と保護部材との係合を解除する動作の状態遷移図
【図１４】保護部材をカメラ本体に対し時計回りに回転させる状態を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
１．構成
１−１．リモートカメラの構成の概要
図１を用いて、リモートカメラ１００の全体構成を説明する。図１は、リモートカメラの全体図である。リモートカメラ１００は、カメラ本体２００と、保持部材３００と、保護部材４００とを有する。カメラ本体２００は、撮像、録音および記録を行なうユニットである。保持部材３００は、リング部３１０と、雲台３２０と、台座３５０とを有する。リング部３１０は、カメラ本体２００を直接保持する。雲台３２０は、リング部３１０を支持する。台座３５０は、雲台３２０を支持する。保持部材３００は、カメラ本体２００を保持し、これを壁面などに取付けるユニットである。保護部材４００は、カメラ本体２００の後部に設けられた、ケーブル等の接続端子の周辺を覆う。これにより、保護部材４００は接続端子を保護する。
【００１１】
以下の説明において、リモートカメラ１００のレンズが存在する端部側を正面（前方）とする。そして、リモートカメラ１００の正面から見て時計回り・反時計回りの方向を、時計回り・反時計回りの方向と定義する。また、リモートカメラ１００の台座３５０を水平面上に載置したときに、リモートカメラ１００の鉛直上方を上方、鉛直下方を下方と定義する。
【００１２】
１−２．カメラ本体の構成
図２を用いて、カメラ本体２００の構成を説明する。図２（ａ）は、カメラ本体２００の全体図である。カメラ本体２００は、レンズと、駆動部と、撮像センサと、画像処理部と、接続端子とを備える。駆動部は、レンズを駆動する。撮像センサは、レンズを介して形成された被写体像を撮像する。画像処理部は、撮像センサからの出力に所定の処理を施す。接続端子は、画像処理部により処理された結果を出力する。
【００１３】
図２（ｂ）は、カメラ本体２００を後方斜め上方から見た斜視図である。図２（ｃ）は、カメラ本体２００を後方斜め下方から見た斜視図である。図２（ｄ）は、図２（ｂ）の一部拡大図である。カメラ本体２００は、図２（ｂ）、図２（ｃ）に示すように、レンズが存在する前方側端部とは反対の後方側端部に、接続端子等２７１を有する。カメラ本体２００は、後方側端部の周辺に、カメラ本体２００を保持するための保持機構を有する。カメラ本体２００は、保持機構として、第１の保持機構２６０ａ、第２の保持機構２６０ｂ、第３の保持機構２６０ｃを有する。
【００１４】
第１の保持機構２６０ａは、カメラ本体２００に対する保持部材３００の前後方向の移動および、時計回り・反時計回りの回転を規制するように、カメラ本体２００を保持部材３００に保持させる。図２（ｄ）に示すように、第１の保持機構２６０ａは、ロックピース２１０とリブ２２０ａとを有する。ロックピース２１０は、カメラ本体２００に対する保持部材３００の時計回りの回転方向の回転の規制（位置規制）を行なう。また、ロックピース２１０は、カメラ本体２００に対する保護部材４００の時計回りの回転方向の回転の規制を行なう。ロックピース２１０による回転規制の詳細は後述する。リブ２２０ａは、カメラ本体２００に対する保持部材３００の反時計回りの回転方向の回転の規制を行なう。また、リブ２２０ａは、カメラ本体２００に連結される保護部材４００の反時計回りの回転方向の回転の規制を行なう。すなわち、リブ２２０ａは、ロックピース２１０とは回転方向が逆方向において回転の規制を行なう。更に、リブ２２０ａは、カメラ本体２００に連結される保持部材３００の前後方向の移動の規制を行なうともに、カメラ本体２００に連結される保護部材４００の前後方向の移動の規制を行なう。
【００１５】
ロックピース２１０による回転規制の詳細について説明する。ロックピース２１０は、第１の突起２１０ａ、第２の突起２１０ｂおよびロックレバー２１０ｃを有する。第１の突起２１０ａは、保持部材３００の後述する第１の突起当接部３３０（図４（ｃ）参照）に当接し、カメラ本体２００に対する保持部材３００の時計回りの回転方向の回転の規制を行なう。第１の突起２１０ａにおける、第１の突起当接部３３０と当接する面を第１当接面２１０ｄ（図９（ａ）参照）という。第２の突起２１０ｂは、保護部材４００の後述する第２の突起当接部４２０ａ（図１３（ａ）、図１３（ｂ）参照）と当接し、カメラ本体２００に対する保護部材４００の時計回りの回転方向の回転の規制を行なう。なお、第２の突起２１０ｂにおける保護部材４００に当接する面を第２当接面２１０ｅ（図１３（ａ）参照）という。
【００１６】
ロックピース２１０は、第１の位置と第２の位置との間で移動可能である。第１の位置は、ロックピース２１０の第１の突起２１０ａと保持部材３００とが係合し、第２の突起２１０ｂと保護部材４００とが係合する位置である。第２の位置は、ロックピース２１０の第１の突起２１０ａと、保持部材３００との係合が解除される位置である。なお、このとき、ロックピース２１０の第２の突起２１０ｂと保護部材４００との係合も解除されている。つまり、第１の位置は、ロックピース２１０が、第２の位置よりもより多く突出する位置である。カメラ本体２００は、ロックピース２１０をカメラ本体２００の外周側に突出させるように付勢するバネ２３０を有する（図３（ａ）参照）。ロックピース２１０は、バネ２３０の付勢方向と逆の方向から荷重がかかると下方の第２の位置に向かって移動し、荷重を解除すると上方の第１の位置に向かって移動する。ロックピース２１０に荷重を掛けてロックピース２１０を図２（ａ）、図２（ｂ）の場合において第２の位置に向けて移動させることにより、保持部材３００および保護部材４００との時計回りの回転方向の回転の規制を解除することが可能である。
【００１７】
ロックピース２１０の位置を第１の位置と第２の位置との間で切り替えることにより、カメラ本体２００に対して保持部材３００および保護部材４００を保持した状態と、カメラ本体２００から保持部材３００および保護部材４００とを取り外した状態とを切り替えることができる。
【００１８】
ここで、第２の突起２１０ｂにおける保護部材４００に当接する第２当接面２１０ｅのアングルは、第１の突起２１０ａにおける保持部材３００に当接する第１当接面２１０ｄのアングルよりも緩やかに形成されている。具体的に、第２当接面２１０ｅがロックピース２１０の移動方向に対してなす角度は、第１当接面２１０ｄがロックピース２１０の移動方向に対してなす角度よりも大きく形成されている。これにより、規制している方向に対して逆方向に一定以上の回転荷重をかけたときに、保護部材４００の方が保持部材３００よりも容易に回転の規制を解除させることができる。換言すれば、保護部材４００とカメラ本体２００との係合解除を、保持部材３００とカメラ本体２００との係合解除よりも容易に行うことができる。なお、本実施形態においては、保持部材３００とカメラ本体２００との係合解除に関しては、ロックピース２１０を操作することでも可能としている。回転荷重をかけることなく、容易に取り外し可能とさせるためである。
【００１９】
更に、第２の突起２１０ｂは、第２の突起２１０ｂが保護部材４００に当接したときの係り量が、第１の突起２１０ａが保持部材３００に当接したときの係り量よりも小さくなるように、形成されている。これにより、後述するように、保護部材４００とカメラ本体２００との係合が解除されても、保持部材３００とカメラ本体２００との係合は解除されないようにすることができる。
【００２０】
ここで、規制している方向に対して逆方向に一定以上の力で回転荷重をかけることで容易に回転の規制を解除することができる構成を採用した理由について説明する。リモートカメラ１００において、カメラ本体２００と保持部材３００と保護部材４００とが係合した状態のとき、ロックピース２１０は、保護部材４００により覆われている。そのため、使用者は外側からロックピース２１０を操作することができない。したがって、ロックピース２１０を操作することなく、保護部材４００をカメラ本体２００から取り外すことができる必要がある。これに対処するため、上述のように、第２当接面２１０ｅがロックピース２１０の移動方向に対してなす角度は、第１当接面２１０ｄがロックピース２１０の移動方向に対してなす角度よりも大きく形成されている。これにより、保持部材３００または保護部材４００を反時計回り方向に回転させる場合に、保護部材４００を回転させるときの方が、小さな回転力でロックピース２１０を第２の位置方向に移動させることができる。したがって、保護部材４００の方が、保持部材３００よりも容易に回転させて取り外すことが可能になる。例えば、第２当接面２１０ｅがロックピース２１０の移動方向に対してなす角度は、一般的なユーザが、ロックピース２１０を操作することなく保護部材４００をカメラ本体２００から取り外すことが可能となる角度に設定される。
【００２１】
また、カメラ本体２００のロックピース２１０は、第２の突起２１０ｂの保護部材４００への係り量が、第１の突起２１０ａの保持部材３００への係り量よりも、小さくなるように形成されている。これにより、保護部材４００を回転させてカメラ本体２００から取り外す際、第２の突起２１０ｂと第２の突起当接部４２０ａとの係合状態が解除されても、第１の突起２１０ａと第１の突起当接部３３０との係合状態まで解除されないようにできる。
【００２２】
第２の保持機構２６０ｂおよび第３の保持機構２６０ｃは、カメラ本体２００に対する保持部材３００の前後方向の移動および反時計回り方向の回転を規制するように、カメラ本体２００を保持部材３００に保持する。同時に、第２の保持機構２６０ｂおよび第３の保持機構２６０ｃは、カメラ本体２００に対する保護部材４００の前後方向の移動および反時計回り方向の回転を規制するように、カメラ本体２００を保持部材３００に保持する。図２（ｂ）に示すように、第２の保持機構２６０ｂは、リブ２２０ｂを有する。第３の保持機構２６０ｃは、リブ２２０ｃを有する。
【００２３】
図３は、カメラ本体２００を背面側からみた図である。図３（ａ）は、カメラ本体２００の背面図である。図３（ａ）に示すように、第１の保持機構２６０ａ、第２の保持機構２６０ｂ、第３の保持機構２６０ｃは、カメラ本体２００の後方側端部の周辺部にある。第１の保持機構２６０ａ、第２の保持機構２６０ｂ、第３の保持機構２６０ｃは、カメラ本体２００の外周部に周方向において可能な限り分散して配置することが望ましい。これにより、回転動作や前後移動の規制のときに発生する荷重を、カメラ本体２００の外周部上で周方向に分散させることができる。カメラ本体２００の背面（後端部）には、ロックピース２１０のロック解除の操作をするためのロックレバー２１０ｃが備えられている。ロックレバー２１０ｃは、ロックピース２１０と一体成型されている。ロックピース２１０は、バネ２３０により外周側に突出するように付勢されている。使用者は、ロックレバー２１０ｃを、付勢方向とは逆方向に移動させるよう操作することにより、ロックピース２１０によるロック状態の解除を行なうことができる。
【００２４】
図３（ｂ）および図３（ｃ）は、カメラ本体２００の背面側の斜視図である。具体的に、図３（ｂ）および図３（ｃ）は、リブ２２０ａの詳細を説明するための図である。図３（ｂ）に示すように、リブ２２０ａは、保持部材当接部２４０および保護部材当接部２５０を有する。保持部材当接部２４０は、保持部材３００に対するカメラ本体２００の時計回りの回転方向の回転の規制及び前後方向の移動の規制を行なう。保護部材当接部２５０は、保護部材４００に対するカメラ本体２００の時計回りの回転方向の回転の規制及び前後方向の移動の規制を行なう。
【００２５】
図３（ｃ）に示すように、保持部材当接部２４０は、第１の保持部材当接部２４０ａ、第２の保持部材当接部２４０ｂ、第３の保持部材当接部２４０ｃを有する。第１の保持部材当接部２４０ａは、保持部材３００の第１のカメラ本体当接部３２０ａ（図４（ｃ）参照）と当接し、カメラ本体２００に対する保持部材３００の前方への移動の規制を行なう。第２の保持部材当接部２４０ｂは、保持部材３００の第２のカメラ本体当接部３２０ｂ（図４（ｃ）参照）と当接し、カメラ本体２００に対する保持部材３００の後方への移動の規制を行なう。第３の保持部材当接部２４０ｃは、保持部材３００の第３のカメラ本体当接部３２０ｃ（図４（ｃ）参照）と当接し、カメラ本体２００に対する保持部材３００の反時計回りの回転方向への回転の規制を行なう。
【００２６】
保護部材当接部２５０は、第１の保護部材当接部２５０ａ、第２の保護部材当接部２５０ｂ、第３の保護部材当接部２５０ｃを有する。第１の保護部材当接部２５０ａは、カメラ本体２００に対する保護部材４００の前方への移動の規制を行なう。第２の保護部材当接部２５０ｂは、カメラ本体２００に対する保護部材４００の後方への移動の規制を行なう。第３の保護部材当接部２５０ｃは、カメラ本体２００に対する保護部材４００の反時計回りの回転方向への回転の規制を行なう。
【００２７】
尚、リブ２２０ｂおよびリブ２２０ｃの構成は、リブ２２０ａの構成と同様であるので説明を省略する。
【００２８】
１−３．保持ユニットの構成
図４を用いて、保持部材３００の構成を説明する。図４は、保持部材３００の構成を説明する図である。図４（ａ）は、保持部材３００を後方から見た斜視図である。図４（ａ）において、保持部材３００の端面３４０ａ側が前方、端面３４０ｂ側が後方である。保持部材３００は、リング部３１０の内周面に、リブ３１０ａ、リブ３１０ｂ、リブ３１０ｃ、リブ３１０ｄを有する。リブ３１０ａ、リブ３１０ｂ、リブ３１０ｃ、リブ３１０ｄは、保持部材３００がカメラ本体２００に取付けられたときに、保持部材３００に対するカメラ本体２００の回転及び移動の規制（位置規制）を行なう部位である。リブ３１０ａ、リブ３１０ｂ、リブ３１０ｃ、リブ３１０ｄは、同一の構造を有する。図４（ｂ）は、保持部材３００の正面図である。上記の各リブは、図４（ｂ）に示すように、保持部材３００においてカメラ本体２００が取付けられる箇所の内側に９０度間隔で配置される。カメラ本体２００は、端面３４０ａ側から挿入されて、保持部材３００を保持する。上記各リブは、リング部３１０の内周面において、端面３４０ｂに近接した位置に配置される。これにより、カメラ本体２００の背面部が保持部材３００の端面３４０ｂに近い位置に配置される。そのため、カメラ本体２００の背面部に備えられたロックレバー２１０ｃの操作がしやすくなる。
【００２９】
図４（ｃ）を用いてリブ３１０ａの構成を説明する。図４（ｃ）は、保持部材３００の上部を前方から見た斜視図である。リブ３１０ａは、第１のカメラ本体当接部３２０ａ、第２のカメラ本体当接部３２０ｂ、第３のカメラ本体当接部３２０ｃ、第１の突起当接部３３０を有する。第１のカメラ本体当接部３２０ａは、カメラ本体２００の第１の保持部材当接部２４０ａ（図３（ｃ）参照）と当接し、カメラ本体２００に対する保持部材３００の前方への移動の規制を行なう。第２のカメラ本体当接部３２０ｂは、カメラ本体２００の第２の保持部材当接部２４０ｂ（図３（ｃ）参照）と当接し、カメラ本体２００に対する保持部材３００の後方への移動の規制を行なう。第３のカメラ本体当接部３２０ｃは、カメラ本体２００の第３の保持部材当接部２４０ｃ（図３（ｃ）参照）と当接し、カメラ本体２００に対する保持部材３００の反時計回りの回転方向への回転の規制を行なう。
【００３０】
第１の突起当接部３３０は、カメラ本体２００に対する保持部材３００の時計回りの回転方向への回転の規制を行なう。
【００３１】
１−４．保護部材の構成
図５を用いて、保護部材４００の構成を説明する。図５は、保護部材４００の構成を説明する図である。具体的に、図５（ａ）は、保護部材４００を前方から見た斜視図である。図５（ａ）に示すように、保護部材４００は、内周面の前部に、リブ４１０ａ、リブ４１０ｂ、リブ４１０ｃ、ロックピース当接部４２０を有する。リブ４１０ａ、リブ４１０ｂ、リブ４１０ｃは、保護部材４００がカメラ本体２００に取付けられたときに、カメラ本体２００に対する保護部材４００の前後方向への移動の規制および反時計回りの回転方向への回転の規制を行なう部分である。図５（ｂ）は、保護部材４００の正面図である。上記の各リブ４１０ａ、リブ４１０ｂ、リブ４１０ｃは、保護部材４００において、カメラ本体２００のリブ２２０ａ、２２０ｂ、２２０ｃの配置位置に対応する位置に（図３（ａ）参照）、図５（ｂ）に示すように配置される。ロックピース当接部４２０は、保護部材４００がカメラ本体２００に取付けられたときに、カメラ本体２００に対する保護部材４００の時計回りの回転方向への回転の規制を行なう部分である。ロックピース当接部４２０は、保護部材４００において、カメラ本体２００のロックピース２１０の第２の突起２１０ｂの配置位置に対応する位置に配置される。
【００３２】
図５（ａ）を用いてリブ４１０ａの構成を説明する。リブ４１０ａは、第１のカメラ本体当接部４１０ａａ、第２のカメラ本体当接部４１０ａｂ、第３のカメラ本体当接部４１０ａｃを有する。第１のカメラ本体当接部４１０ａａは、カメラ本体２００の第１の保護部材当接部２５０ａ（図３（ｃ）参照）と当接し、カメラ本体２００に対する保護部材４００の前方への移動の規制を行なう。第２のカメラ本体当接部４１０ａｂは、カメラ本体２００の第２の保護部材当接部２５０ｂ（図３（ｃ）参照）と当接し、カメラ本体２００に対する保護部材４００の後方への移動の規制を行なう。第３のカメラ本体当接部４１０ａｃは、カメラ本体２００の第３の保護部材当接部２５０ｃ（図３（ｃ）参照）と当接し、カメラ本体２００に対する保護部材４００の反時計回りの回転方向への回転の規制を行なう。
【００３３】
第２の突起当接部４２０ａは、ロックピース２１０の第２の突起２１０ｂ（図２（ｄ）参照）と当接し、カメラ本体２００に対する保護部材４００の時計回りの回転方向への回転の規制を行なう。
【００３４】
２．動作
２−１．リモートカメラの係合動作の概要
図６を用いて、カメラ本体２００と、保持部材３００及び保護部材４００との係合動作の概要を説明する。図６は、リモートカメラ１００の係合動作の概要を説明する図である。まず図６（ａ）に示すようにカメラ本体２００に対して保持部材３００を係合させる。次に図６（ｂ）に示すようにカメラ本体２００に保持部材３００が係合された状態で、保護部材４００を係合させる。これにより、図６（ｃ）に示すように、カメラ本体２００と、保持部材３００及び保護部材４００とが一体的に保持されたリモートカメラ１００が完成する。
【００３５】
係合を解除する際には、まず保護部材４００とカメラ本体２００との係合を解除して保護部材４００をカメラ本体２００より取り外す。次に保持部材３００とカメラ本体２００との係合を解除して、保持部材３００をカメラ本体２００より取り外す。このように、リモートカメラ１００を、カメラ本体２００、保持部材３００、保護部材４００の各部材に切り離すことができる。
【００３６】
２−２．カメラ本体と保持部材との係合動作
図７を用いて、カメラ本体２００と保持部材３００との係合動作を説明する。図７は、カメラ本体２００と保持部材３００との係合動作の状態遷移を示す図である。図７（ａ）は、カメラ本体２００の背面図である。図７（ｂ）は、カメラ本体２００と保持部材３００とを分離した状態で背面側から見た斜視図である。図７（ｃ）は、カメラ本体２００と保持部材３００とを結合した状態で背面側から見た斜視図である。まず、図７（ｂ）に示す保持部材３００のリブ３１０ａ、リブ３１０ｂ、リブ３１０ｃ、リブ３１０ｄの周方向の位置と図７（ａ）に示すカメラ本体２００における空間２８０ａ、空間２８０ｂ、空間２８０ｃの周方向の位置とが一致するように、カメラ本体２００と保持部材３００とを配置する。次に、図７（ｂ）に示すように、カメラ本体２００と保持部材３００とを、保持部材３００の端面３４０ａとカメラ本体２００の端面２７０とが当接するように組みつける。次に、図７（ｃ）に示すように、保持部材３００をカメラ本体２００に対して反時計回りに回転させ、あるいはカメラ本体２００を保持部材３００に対して時計回りに回転させ、第３の保持部材当接部２４０ｃ（図３（ｃ）参照）に第３のカメラ本体当接部３２０ｃ（図４（ｃ）参照）を当接させる。
【００３７】
図８を用いて、カメラ本体２００と保持部材３００の係合動作を説明する。図８は、カメラ本体２００のロックピース２１０による保持部材３００の係合動作の状態遷移図である。図８（ａ）は、ロックピース２１０と保持部材３００とが係合する前の状態を示す図である。図８（ｂ）は、ロックピース２１０と保持部材３００とが係合する途中の状態を示す図である。図８（ｃ）は、ロックピース２１０と保持部材３００とが係合した状態を示す図である。図８（ｄ）は、図８（ｂ）の部分拡大図である。図８（ｅ）は、図８（ｄ）の状態よりもより係合が進んだ状態での係合途中の状態を示す部分拡大図である。図８（ｂ）に示すロックピース２１０と保持部材３００とが係合する途中の状態においては、図８（ｄ）および図８（ｅ）に示すように、ロックピース２１０の斜面２１０ｆと第３のカメラ本体当接部３２０ｃとが当接する。このとき、ロックピース２１０の斜面２１０ｆに第３のカメラ本体当接部３２０ｃから反時計回りの回転方向の荷重Ｆ１がかかる。この回転方向の荷重Ｆ１は、バネ２３０（図３（ａ）参照）の付勢方向とは逆方向の荷重Ｆ２に変換される。このため、ロックピース２１０は、第１の突起当接部３３０が第１の突起２１０ａを通過するまでは反突出方向に下がった状態となる。第１の突起当接部３３０が第１の突起２１０ａを通過した後は、ロックピース２１０は第１の位置（突出位置）に戻る。そのため、図８（ｃ）に示すように、第１の突起当接部３３０に対し第１の突起２１０ａが当接した状態となる。この状態においては、カメラ本体２００のリブ２２０ａ、リブ２２０ｂ、リブ２２０ｃのすべてが保持部材３００のリブ３１０ａ、リブ３１０ｂ、リブ３１０ｃ、リブ３１０ｄのいずれかに係合している。したがって、カメラ本体２００に対し保持部材３００は前後方向および時計回り、反時計回りの回転方向における回転の規制がされた状態となる。
【００３８】
ここで、ロックピース２１０の斜面２１０ｆの角度は、反時計回りの荷重Ｆ１の方向に対して緩やかな角度をなすように設定されている。具体的に、斜面２１０ｆと荷重Ｆ１とがなす角度が、所定の角度以下となるように設定されている。ここで、斜面２１０ｆと荷重Ｆ１とがなす角度が大きいほど、カメラ本体２００に保持部材３００を取り付けるために、保持部材３００を回転させて保持部材３００とロックピース２１０とを係合させる際、大きな回転力を要する。そこで、所定の角度は、一般的なユーザが保持部材３００を取り付ける際に、保持部材３００を、ロックピース２１０のバネ２３０の付勢力に抗して回転可能な角度に設定している。
【００３９】
図９を用いて、カメラ本体２００と保持部材３００との係合を解除する動作を説明する。図９は、カメラ本体２００と保持部材３００との係合を解除する動作の状態遷移図である。図９（ａ）は、ロックピース２１０と保持部材３００とが係合した状態を示す図である。図９（ｂ）は、ロックピース２１０と保持部材３００との係合が解除される途中の状態を示す図である。図９（ｃ）は、ロックピース２１０と保持部材３００との係合が解除された状態を示す図である。なお、ロックピース２１０は、第２の位置に位置する。
【００４０】
まず、図９（ａ）及び図９（ｂ）に示すように、ロックレバー２１０ｃをバネ２３０（図３（ａ）参照）の付勢方向とは反対方向に押し下げる。このことにより、図９（ｂ）に示すように、ロックピース２１０がバネ２３０の付勢方向とは反対方向に移動し、第１の突起当接部３３０に当接しない状態となる。このため、カメラ本体２００に対する保持部材３００の時計回りへの回転の規制がされていない状態となり当該方向への回転が可能となる。
【００４１】
次に、図９（ｃ）に示すように、保持部材３００をカメラ本体２００に対し時計回りに回転させる。図９（ｃ）は、保持部材３００をカメラ本体２００に対し時計回りに回転させる状態を示す図である。この際、図４（ｂ）に示すリブ３１０ａ、リブ３１０ｂ、リブ３１０ｃ、リブ３１０ｄの周方向の位置と、図７（ａ）に示す空間２８０ａ、空間２８０ｂ、空間２８０ｃの周方向の位置とが一致するように、カメラ本体２００と保持部材３００とを相対的に回転させる。このように両者の位置が一致した状態においては、図に示すリブ３１０ａ、リブ３１０ｂ、リブ３１０ｃ、リブ３１０ｄのすべてがリブ２２０ａ，リブ２２０ｂ、リブ２２０ｃのいずれにも係合していない。このため、保持部材３００をカメラ本体２００に対し後方へ移動させることが可能となる。この状態において、図１０に示すように保持部材３００をカメラ本体２００に対し後方へ移動させることで、カメラ本体２００と保持部材３００との係合状態が解除される。つまり、保持部材３００をカメラ本体２００から取り外すことができる。
【００４２】
２−３．カメラ本体と保護部材との係合動作
図１１を用いて、カメラ本体２００と保護部材４００との係合動作を説明する。図１１は、カメラ本体２００と保護部材４００との係合動作の状態遷移を示す図である。図１１（ａ）は、カメラ本体２００及び保持部材３００の背面図である。図１１（ｂ）は、カメラ本体２００及び保持部材３００と保護部材４００とを分離した状態で背面側から見た斜視図である。図１１（ｃ）は、カメラ本体２００、保持部材３００、及び保護部材４００を結合した状態で背面側から見た斜視図である。まず、前述の図５（ａ）及び図５（ｂ）に示す保護部材４００のリブ４１０ａ、リブ４１０ｂ、リブ４１０ｃ、ロックピース当接部４２０の周方向の位置と、図１１（ａ）に示すカメラ本体２００における空間２８０ａ、空間２８０ｂ、空間２８０ｃ、空間２８０ｄの周方向の位置とが一致するように、カメラ本体２００と保護部材４００とを配置する。次に、図１１（ｂ）に示すように、保護部材４００と保持部材３００とを、保護部材４００の端面４３０と保持部材３００の端面３４０ｂとが当接するように組みつける。次に、図１１（ｃ）に示すように、保護部材４００をカメラ本体２００に対して反時計回りに回転させ、あるいはカメラ本体２００を保護部材４００に対して時計回りに回転させる。これにより、第３の保護部材当接部２５０ｃ（図３（ｃ）参照）に第３のカメラ本体当接部４１０ａｃ（図５（ａ）参照）が当接する。
【００４３】
図１２を用いて、カメラ本体２００のロックピース２１０による保護部材４００の係合動作を説明する。図１２は、ロックピース２１０による保護部材４００の係合動作の状態遷移図である。図１２（ａ）は、ロックピース２１０と保護部材４００とが係合した状態を示す図である。図１２（ｂ）は、ロックピース２１０と保護部材４００との係合が解除される途中の状態を示す図である。図１２（ｃ）は、ロックピース２１０と保護部材４００との係合が解除された状態を示す図である。図１２（ｄ）は、図１２（ｂ）の部分拡大図である。図１２（ｅ）は、図１２（ｄ）の状態よりもより係合の解除が進んだ途中の状態を示す部分拡大図である。図１２（ｂ）に示すロックピース２１０と保護部材４００との係合が解除される途中の状態においては、図１２（ｄ）および図１２（ｅ）に示すように、ロックピース２１０の斜面２１０ｆと斜面部４２０ｂとが当接する。このとき、ロックピース２１０の斜面２１０ｆにロックピース当接部４２０の斜面部４２０ｂから反時計回りの回転方向の荷重Ｆ３がかかる。この回転方向の荷重Ｆ３はバネ２３０（図３（ａ）参照）の付勢方向とは逆方向の荷重Ｆ４に変換される。このためロックピース２１０は、第２の突起当接部４２０ａが第２の突起２１０ｂを通過するまでは反突出方向に下がった状態となる。第２の突起当接部４２０ａが第２の突起２１０ｂを通過した後は、図１２（ｃ）に示すように、ロックピース２１０は第１の位置（突出位置）に戻る。そのため、第２の突起当接部４２０ａに対し第２の突起２１０ｂが当接した状態となる。この状態においては、保護部材４００のリブ４１０ａ、リブ４１０ｂ、リブ４１０ｃのすべてが、保持部材３００においてそれぞれ対応するリブ３１０ａ、リブ３１０ｂ、リブ３１０ｃ、リブ３１０ｄに係合する。したがって、カメラ本体２００に対し保護部材４００は前後方向および時計回り、反時計回りの回転方向における回転の規制がされた状態となる。
【００４４】
ここで、ロックピース２１０の斜面２１０ｆの角度は、反時計回りの荷重Ｆ３の方向に対して緩やかな角度をなすように設定されている。具体的に、斜面２１０ｆと荷重Ｆ３とがなす角度が、所定の角度以下となるように設定されている。ここで、斜面２１０ｆと荷重Ｆ３とがなす角度が大きいほど、カメラ本体２００に保護部材４００を取り付けるために、保護部材４００を回転させて保護部材４００とロックピース２１０とを係合させる際、大きな回転力を要する。そこで、所定の角度は、一般的なユーザが保護部材４００を取り付ける際に、保護部材４００を、ロックピース２１０のバネ２３０の付勢力に抗して回転可能な角度に設定している。
【００４５】
図１３を用いて、カメラ本体２００と保護部材４００との係合を解除する動作を説明する。図１３は、カメラ本体２００と保護部材４００との係合を解除する動作の状態遷移図である。図１３（ａ）は、ロックピース２１０と保護部材４００とが係合した状態を示す図である。図１３（ｂ）は、ロックピース２１０と保護部材４００との係合が解除される途中の状態を示す図である。図１３（ｃ）は、ロックピース２１０と保護部材４００との係合が解除された状態を示す図である。
【００４６】
まず、図１３（ａ）及び図１３（ｂ）に示すように、保護部材４００をカメラ本体２００に対し時計回りに回転させる。このとき、一定以上の荷重Ｆ５を時計回りの回転方向に掛けることにより、当該荷重Ｆ５はバネ２３０（図３（ａ）参照）の付勢方向とは逆方向の荷重Ｆ６に変換され、図１３（ｂ）、図１３（ｃ）に示すように、ロックピース２１０はバネ２３０の付勢方向とは逆方向へ移動する。このため、第２の突起２１０ｂと第２の突起当接部４２０ａとの係合状態は解除される。ここで、第２の突起２１０ｂにおける保護部材４００に当接する第２当接面２１０ｅのアングルは、前述のように、第１の突起２１０ａにおける保持部材３００に当接する第１当接面２１０ｄのアングルよりも緩やかに形成されている。具体的に、第２当接面２１０ｅがロックピース２１０の移動方向に対してなす角度は、第１当接面２１０ｄがロックピース２１０の移動方向に対してなす角度よりも大きく形成されている。
【００４７】
図１４は、保護部材４００をカメラ本体２００に対し時計回りに回転させる状態を示す図である。この際、図５（ａ）、図５（ｂ）に示すリブ４１０ａ、リブ４１０ｂ、リブ４１０ｃ、ロックピース当接部４２０の周方向の位置と、図１１（ａ）に示す空間２８０ａ、空間２８０ｂ、空間２８０ｃ、空間２８０ｄの周方向の位置とが一致するように、カメラ本体２００と保護部材４００とを相対的に回転させる。この状態においてはリブ４１０ａ、リブ４１０ｂ、リブ４１０ｃ（図５（ｂ）参照）のすべてがリブ２２０ａ，リブ２２０ｂ、リブ２２０ｃ（図３（ｄ）参照）のいずれにも係合していない。このため保護部材４００をカメラ本体２００に対し後方へ移動させることが可能となる。このように両者の位置が一致した状態において保護部材４００をカメラ本体２００に対して後方へ移動させることで、カメラ本体２００と保護部材４００との係合状態が解除される。つまり、保護部材４００をカメラ本体２００から取り外すことができる。
【００４８】
３．効果等
以上のように、本開示のリモートカメラ１００は、カメラ本体２００と、カメラ本体２００により保持される保持部材３００と、保持部材３００を挟んでカメラ本体２００により保持される保護部材４００とを有する。そして、カメラ本体２００は、保持部材３００の第１の方向（カメラ本体２００に対する保持部材３００の反時計回り）の回転を規制する保持部材当接部２４０と、保護部材４００の第１の方向（カメラ本体２００に対する保護部材４００の反時計回り）の回転を規制する保護部材当接部２５０と、保持部材３００および保護部材４００の第２の方向（カメラ本体２００に対する保持部材３００の時計回り、およびカメラ本体２００に対する保護部材４００の時計回り）の回転を規制するロックピース２１０と、を備える。この構成により、取り付けおよび取り外しが容易なリモートカメラ１００を提供できる。
【００４９】
また、本構成によれば、１つのロックピース２１０で保持部材３００及び保護部材４００の２つの部材を異なる係合状態とすることができる。異なる係合状態とするための構成としては、他に、保持部材３００及び保護部材４００のそれぞれに対応させて異なるロックピースを設けた構成が考えられる。しかし、この構成では、２つのロックピースと２つのバネ（付勢部材）とが必要となる。本実施形態では、１つのロックピース２１０と１つのバネ２３０で異なる係合状態を実現することができる。これにより、部品点数の削減及びカメラ本体２００の小型化を実現することができる。
【００５０】
また、ロックピース２１０は、保持部材３００の前記第２の方向の回転を規制する第１の突起２１０ａと、保護部材４００の前記第２の方向の回転を規制する第２の突起２１０ｂと、を有する。そして、第２の突起２１０ｂによる保護部材４００の回転規制は、第１の突起２１０ａによる保持部材３００の回転規制よりも弱い。これにより、カメラ本体２００と保持部材３００との保持状態を解消させることなく、カメラ本体２００と保護部材４００との保持状態を解消させることができる。
【００５１】
また、第１の突起２１０ａは、保持部材３００と当接することにより保持部材３００の第２の方向の回転を規制し、第２の突起２１０ｂは、保護部材４００と当接することにより保護部材４００の第２の方向の回転を規制する。第２の突起２１０ｂにおける保護部材４００に当接する面のアングルは、第１の突起２１０ａにおける保持部材３００に当接する面のアングルよりも緩やかである。これにより、ロックピース２１０を操作することなく、保護部材４００をカメラ本体２００から取り外すことができる。
【００５２】
また、第２の突起２１０ｂが保護部材４００に当接したときの係り量は、第１の突起２１０ａが保持部材３００に当接したときの係り量よりも小さい。これにより、ロックピース２１０を操作することなく保護部材４００自体を操作して、保護部材４００をカメラ本体２００から取り外すときに、第２の突起２１０ｂと第２の突起当接部４２０ａとの係合状態が解除されたときに、第１の突起２１０ａと第１の突起当接部３３０との係合状態まで解除されないようにできる。
【００５３】
また、ロックピース２１０は、保持部材３００及び保護部材４００と当接する第１の位置と当接しない第２の位置との間で移動可能に構成される。カメラ本体２００は、ロックピース２１０を第１の位置に付勢するバネ２３０と、ロックピース２１０を、バネ２３０による付勢に抗して第２の位置に移動させるためのロックレバー２１０ｃと、を備える。保護部材４００をバネ２３０による付勢に抗してカメラ本体２００に対して第２の方向に回転させることにより、ロックピース２１０を第２の位置に移動させて、ロックピース２１０の第２の突起２１０ｂと保護部材４００との当接を解除させる。また、バネ２３０による付勢に抗してロックレバー２１０ｃを操作することにより、ロックピース２１０を第２の位置に移動させて、ロックピース２１０の第１の突起２１０ａと保持部材３００との当接を解除させる。
【００５４】
なお、ロックピース２１０の第１の突起２１０ａと保持部材３００との当接の解除は、以下のように構成してもよい。すなわち、保持部材３００をバネ２３０による付勢に抗してカメラ本体２００に対して第２の方向に回転させることにより、ロックピース２１０を第２の位置に移動させて、ロックピース２１０の第１の突起２１０ａと保持部材３００との当接を解除させる。
【００５５】
なお、上記実施の形態では、カメラ本体２００が二段構造を有する爪を備えている場合を説明したが、爪はこれに限定されない。例えば、保持部材３００が二段構造を有する爪を備えていてもよい。但し、通常は、カメラ本体２００を保持部材３００に保持させたままの状態で、保護部材４００を着脱させて、ロックレバー２１０ｃの操作や、コネクタへのケーブルの着脱を行なう。そのため、カメラ本体２００に二段構造を有する爪を備えた方が、使用者にとって、保護部材４００の着脱がしやすくなる。
【００５６】
以上のように、本開示における技術の例示として、実施の形態を説明した。そのために、添付図面および詳細な説明を提供した。
【００５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
また、上述の実施の形態は、本開示における技術を例示するためのものであるから、特許請求の範囲またはその均等の範囲において種々の変更、置き換え、付加、省略などを行うことができる。
【産業上の利用可能性】
【００５９】
本開示はリモートカメラ１００への実施に限定されない。すなわち、照明器具、マイクユニット、スピーカユニット等、保持の用途がある電子機器に本開示は適用可能である。
【手続補正３】
【補正対象書類名】図面
【補正対象項目名】全図
【補正方法】変更
【補正の内容】
【図１】
2014010193.tif 000017
【図２】
2014010193.tif 000018
【図３】
2014010193.tif 000019
【図４】
2014010193.tif 000020
【図５】
2014010193.tif 000021
【図６】
2014010193.tif 000022
【図７】
2014010193.tif 000023
【図８】
2014010193.tif 000024
【図９】
2014010193.tif 000025
【図１０】
2014010193.tif 000026
【図１１】
2014010193.tif 000027
【図１２】
2014010193.tif 000028
【図１３】
2014010193.tif 000029
【図１４】
2014010193.tif 000030
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
第１のユニットと、前記第１のユニットにより保持される第２のユニットと、前記第２のユニットを挟んで前記第１のユニットにより保持される第３のユニットとを有する電子機器であって、
前記第２及び第３のユニットはそれぞれ前記第１のユニットに対して回転可能なようにかつ取り付け及び取り外し可能なように構成され、
前記第１のユニットは、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備え、
前記第３の回転規制部は、前記第２のユニット及び前記第３のユニットと当接する第１の位置と当接しない第２の位置との間で移動可能に構成され、
前記第１のユニットは、前記第３の回転規制部を前記第１の位置に付勢する付勢部材を備えた、
電子機器。
【請求項２】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項１に記載の電子機器。
【請求項３】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項２に記載の電子機器。
【請求項４】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項２または３に記載の電子機器。
【請求項５】
前記第１のユニットは、
前記第３の回転規制部を、前記付勢部材による付勢に抗して前記第２の位置に移動させるための操作部材を備え、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させ、
前記付勢部材による付勢に抗して前記操作部材を操作することにより、前記第３の回転規制部を前記第２の位置に移動させて、前記第３の回転規制部の前記第１の突起部と前記第２のユニットとの当接を解除させる、
請求項３または４に記載の電子機器。
【請求項６】
前記第２のユニットを前記付勢部材による付勢に抗して前記第１のユニットに対して前記第２の方向に回転させることにより、前記第３の回転規制部を前記第２の位置に移動させて、前記第３の回転規制部の前記第１の突起部と前記第２のユニットとの当接を解除させ、
前記第３のユニットを前記付勢部材による付勢に抗して前記第１のユニットに対して前記第２の方向に回転させることにより、前記第３の回転規制部を前記第２の位置に移動させて、前記第３の回転規制部の前記第２の突起部と前記第３のユニットとの当接を解除させる、
請求項３または４に記載の電子機器。
【請求項７】
第２のユニットを保持するとともに前記第２のユニットを挟んで第３のユニットを保持する電子機器であって、
前記第２及び第３のユニットはそれぞれ当該電子機器に対して回転可能なようにかつ取り付け及び取り外し可能なように構成され、
前記第２のユニットの第１の方向の回転を規制する第１の回転規制部と、
前記第３のユニットの前記第１の方向の回転を規制する第２の回転規制部と、
前記第２のユニットおよび前記第３のユニットの前記第１の方向とは逆の第２の方向の回転を規制する第３の回転規制部とを備え、
前記第３の回転規制部は、前記第２のユニット及び前記第３のユニットと当接する第１の位置と当接しない第２の位置との間で移動可能に構成され、
前記第３の回転規制部を前記第１の位置に付勢する付勢部材を備えた、
電子機器。
【請求項８】
前記第３の回転規制部は、
前記第２のユニットの前記第２の方向の回転を規制する第１の規制部と、
前記第３のユニットの前記第２の方向の回転を規制する第２の規制部と、を有し、
前記第２の規制部による前記第３のユニットの回転規制は、前記第１の規制部による前記第２のユニットの回転規制よりも弱い、
請求項７に記載の電子機器。
【請求項９】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部における前記第３のユニットに当接する面のアングルは、前記第１の突起部における前記第２のユニットに当接する面のアングルよりも緩やかである、
請求項８に記載の電子機器。
【請求項１０】
前記第１の規制部は、前記第２のユニットと当接することにより前記第２のユニットの前記第２の方向の回転を規制する第１の突起部であり、
前記第２の規制部は、前記第３のユニットと当接することにより前記第３のユニットの前記第２の方向の回転を規制する第２の突起部であり、
前記第２の突起部が前記第３のユニットに当接したときの係り量は、前記第１の突起部が前記第２のユニットに当接したときの係り量よりも小さい、
請求項８または９に記載の電子機器。
【国際調査報告】
2014010193.tif 000031
2014010193.tif 000032